(57)【特許請求の範囲】
【請求項１】
建物本体の軒先に取付けられ、軒樋を後付け可能な軒先ユニットであって、
前記建物本体の屋外方向側の端部を覆うように立設される鼻隠し部材と、
前記鼻隠し部材の前記建物本体側の内面に設けられ、前記軒先ユニットを建物躯体に固定するための複数の軒先ユニット取付部材と、
前記鼻隠し部材の外面から前記建物本体の屋外方向へ突設され、前記建物本体の桁行方向に沿って配置される軒樋を支持可能な複数の樋受け部材と、
前記鼻隠し部材に取付けられるとともに、前記鼻隠し部材の建物屋外側の面の対面を上方側から被覆する水切材と、を少なくとも備え、
前記鼻隠し部材の前記建物本体屋外側の面には、少なくとも一つの通気孔が形成されるとともに、前記通気孔の屋外側を被覆するように形成されたリブ片が備えられ、
前記鼻隠し部材の前記建物本体屋外側の面と前記リブ片との間には、換気開口部が形成されており、
前記水切材は、前記通気孔の上方側を被覆する位置に配設されていることを特徴とする軒先ユニット。
【請求項２】
前記鼻隠し部材の前記建物本体屋外側の面と前記リブ片との間には、換気開口部がスリット状に形成されていることを特徴とする請求項１に記載の軒先ユニット。
【請求項３】
前記通気孔の下方には、軒樋が備えられていることを特徴とする請求項１に記載の軒先ユニット。
【請求項４】
前記建物本体の軒先は、軒の出及び広小舞を有さないものであり、前記水切材の前記建物本体屋内側端部側は、屋根を構成する野地材上面に載置されるとともに、前記軒先ユニット取付部材は、建物躯体に連結された建物側取付部材に取付けられることを特徴とする請求項１に記載の軒先ユニット。
【請求項５】
前記水切材は、前記鼻隠し部材の前記建物本体屋外側の面の対面で前記鼻隠し部材を被覆する側面被覆部と、該側面被覆部から鈍角を成して前記建物本体屋内側上方へと屈曲して延出する上面被覆部と、該上面被覆部から垂直乃至鈍角を成して屈曲して上方へ起立する水切取付部と、該水切取付部から垂直乃至鈍角を成して屈曲して前記建物本体屋内側上方へ延出する載置部と、を少なくとも備え、
前記載置部の前記建物本体屋内側端部側が前記野地材上面に載置されるとともに、前記側面被覆部及び前記上面被覆部は、前記通気孔を被覆する位置に配設されていることを特徴とする請求項１に記載の軒先ユニット。
【請求項６】
前記水切取付部と、前記鼻隠し部材の前記建物本体屋外側の面との間には、止水部材が挟持固定されていることを特徴とする請求項５に記載の軒先ユニット。
【請求項７】
前記鼻隠し部材の外面から前記建物本体屋外方向へ突設されると共に前記軒樋の上方に配置され、転落防止部材を上方から着脱可能なように、前記転落防止部材を下方から支持する複数の支持部材を更に備えることを特徴とする請求項１に記載の軒先ユニット。
【請求項８】
前記支持部材は、前記軒樋が前記樋受け部材に支持された状態で、前記軒樋の底面から上方へ所定距離離間した高さ位置に配置されることを特徴とする請求項６に記載の軒先ユニット。
【請求項９】
前記軒先ユニットは、前記建物の桁行方向に沿って複数個連続して配置されることを特徴とする請求項１乃至請求項８いずれか一項に記載の軒先ユニット。
【発明の詳細な説明】
【技術分野】
【０００１】
本発明は、住宅等の各種建物に取付けられる軒先ユニットに係り、特に、高い防水性が実現されるとともに、広小舞を使用することなく、軒の出を有しない場合であっても簡易に設置することが可能な軒先ユニットに関するものである。
【背景技術】
【０００２】
一般的に、建築物の軒先には、軒樋が備えられており、雨水等を排出できるようになっている。
また、外観上の仕上げの観点から、鼻隠し部材が備えられる等、建築物の軒先構造は複雑になっている場合が多い。
通常、建築物の軒先においては、垂木の屋外側先端部分には、広小舞が設置されている。
広小舞の材質としては、防腐処理を施した木製部材が広く使用されており、雨水等と接触することによる腐食を防止している。
また、更なる広小舞の腐食防止として、広小舞の上面から軒先水切が取付けられる（例えば、特許文献１参照）。
【０００３】
特許文献１の軒先構造によると、屋根を構成する垂木上方に載置固定された野地板の屋外側先端部には、広小舞が配設されている。
そして、この広小舞の下部に軒樋が配設される。
また、広小舞から軒樋方向へ向けて、軒先水切が配設されている。
この軒先水切は広小舞に固定される。
【先行技術文献】
【特許文献】
【０００４】
【特許文献１】特開平１１−１１７４４７号公報
【発明の概要】
【発明が解決しようとする課題】
【０００５】
特許文献１においては、軒先水切が、広小舞の屋外側端部上面を被覆するように取付けられるため、軒先水切が確実に建物軒先に設置されるとともに、雨水等が広小舞（屋外側端部）に接触して広小舞が腐食することを防止することもできる。
【０００６】
一方、現場での軒先施工作業を簡易化して作業効率を向上させるために、軒天部材や鼻隠し部材等の軒先部品を予めユニット化した軒先ユニットを、躯体に対して取付ける技術が知られている。
また、従来より、住宅の小屋裏換気を行うために、軒先下方つまり軒天部に通気孔が設けられていた。
このような通気孔は、主として軒天板や見切り材に設けられ、小屋裏に連通する多数の通気孔を設けることが多い。
しかし、軒天板や見切り材に通気孔を設けた場合、通気孔の開口部が軒下より視認可能となるため、外観上好ましくないという問題点があった。
このため、鼻隠しに通気孔を設ける技術が提唱されており、軒下から通気孔が視認されることを有効に防止している。
このように、通気孔を視認され難く構成する等意匠性を向上させるとともに、軒先部品をユニット化して作業性を簡易にする技術が望まれている。
【０００７】
このような背景のもと、軒先部品をユニット化して取付けるためには、更に施工性を向上させるべく、部品点数はできるだけ多くない方が好ましい。
しかし、一方、住宅においては、斜線対応や採光を確保するために、軒の出を有しない軒先が存在する。
このような場合には特に、軒先部品の設置空間が狭小となるため、できるだけ部品点数を少なくし、強度や防水性を維持した状態で軒先構造を簡略化する必要が生じていた。
つまり、軒の出を有する場合（軒の出３１０ｍｍ〜８３０ｍｍ）に比して、軒の出を有しない場合（軒の出１３２ｍｍ）には、特に、各種軒先部品をできるだけコンパクトに納める構造が要求される。
また、意匠性を確保するために鼻隠しに通気孔を形成することが望ましいが、この通気孔から小屋裏へ雨水等が浸入することを有効に防止し、防水性を高める必要があるとともに、通気性も十分に確保するための技術が切望されていた。
【０００８】
本発明の目的は、上記各問題点を解決することにあり、通気性を確実に確保するとともに防水構造を確実に確保しながら、簡易に建物の軒先に設置することが可能であり、広小舞を使用することなしに設置することができる軒先ユニットを提供することにある。
また、本発明の他の目的は、軒の出を有しない場合であっても、つまり、設置箇所が狭小空間であっても、簡易に設置することが可能である軒先ユニットを提供することにある。
【課題を解決するための手段】
【０００９】
上記課題は、請求項１に係る軒先ユニットによれば、建物本体の軒先に取付けられ、軒樋を後付け可能な軒先ユニットであって、前記建物本体の屋外方向側の端部を覆うように立設される鼻隠し部材と、前記鼻隠し部材の前記建物本体側の内面に設けられ、前記軒先ユニットを建物躯体に固定するための複数の軒先ユニット取付部材と、前記鼻隠し部材の外面から前記建物本体の屋外方向へ突設され、前記建物本体の桁行方向に沿って配置される軒樋を支持可能な複数の樋受け部材と、前記鼻隠し部材に取付けられるとともに、前記鼻隠し部材の建物屋外側の面の対面を上方側から被覆する水切材と、を少なくとも備え、前記鼻隠し部材の前記建物本体屋外側の面には、少なくとも一つの通気孔が形成されるとともに、前記通気孔の屋外側を被覆するように形成されたリブ片が備えられ、前記鼻隠し部材の前記建物本体屋外側の面と前記リブ片との間には、換気開口部が形成されており、前記水切材は、前記通気孔の上方側を被覆する位置に配設されていることにより解決される。
また、具体的には、前記鼻隠し部材の前記建物本体屋外側の面と前記リブ片との間にはスリット状に換気開口部が形成されている。
【００１０】
このように構成されているため、本発明に係る軒先ユニットはコンパクトに設計されており、軒の出を有しない場合（つまり、狭小な設置空間であっても）であっても、納まりを実現することができる。
また、通気孔の屋外側は、リブ片により被覆されているため、雨水等が屋外に面する側から直接吹き込むことを有効に防止することができる。
更に、鼻隠し部材の建物本体屋外側の面とリブ片との間にはスリット状に換気開口部が形成されているため、十分な換気量を実現することができる。
このとき、前記通気孔の下方には、軒樋が備えられていると、この軒樋により雨水等の吹き上がりを有効に防止することができるため、防水性を実現する点において、更に好適である。
【００１１】
また、更に、前記建物本体の軒先は、軒の出及び広小舞を有さないものであり、前記水切材の前記建物本体屋内側端部側は、屋根を構成する野地材上面に載置されるとともに、前記軒先ユニット取付部材は、建物躯体に連結された建物側取付部材に取付けられるよう構成されていると好適である。
【００１２】
このように構成されていることにより、軒先ユニット取付部材が、建物躯体（例えば、軒桁）に連結された建物側取付部材（例えば、腕木部材）に取付けられるため、軒の出を有しない場合（つまり、狭小な設置空間であっても）でも、本発明に係る軒先ユニットは有効に設置可能であり、コンパクトな納まりを実現することができる。
更に、水切材の建物本体屋内側端部側は、屋根を構成する野地材上面に載置される構成であるため、広小舞を設置する必要がない。よって、軒先の部品点数を減らすことができるとともに、通常、防水処理を施された木材で構成される広小舞が雨水等により腐食するという懸念が払拭される。
【００１３】
また、本発明に係る軒先ユニットは、軒先部品である鼻隠し部材、軒先ユニット取付部材、樋受け部材、及び水切材を予めユニットとして一体化する構成であるため、軒先工事の作業工程を大幅に削減することができると共に、作業効率を格段に向上させることができる。また、軒先ユニットを工場等で製作することが可能であるため、品質の均一化を確実に図ることができる。
【００１４】
このとき、具体的には、前記水切材は、前記鼻隠し部材の前記建物本体屋外側の面の対面で前記鼻隠し部材を被覆する側面被覆部と、該側面被覆部から鈍角を成して前記建物本体屋内側上方へと屈曲して延出する上面被覆部と、該上面被覆部から垂直乃至鈍角を成して屈曲して上方へ起立する水切取付部と、該水切取付部から垂直乃至鈍角を成して屈曲して前記建物本体屋内側上方へ延出する載置部と、を少なくとも備え、前記載置部の前記建物本体屋内側端部側が前記野地材上面に載置されるとともに、前記側面被覆部及び前記上面被覆部は、前記通気孔を被覆する位置に配設されていると好適である。
【００１５】
このように構成されていることにより、水切材を構成する水切取付部と、鼻隠し部材の建物本体屋外側の面とを連結することにより、鼻隠し部材の建物本体屋外側の面を側面被覆部及び上面被覆部で被覆するとともに、載置部を野地材に載置することができる。
【００１６】
このとき、前記水切取付部と、前記鼻隠し部材の前記建物本体屋外側の面との間には、止水部材が挟持固定されていると好適である。
また、このとき、鼻隠し部材の建物本体屋外側の面には、少なくとも一つの通気孔が形成されており、水切材を構成する側面被覆部及び上面被覆部は、通気孔を被覆する位置に配設されるよう構成されている。
止水部材としては、シーリング効果を奏するものであればどのようなものでもよいが、例えば、エチレンプロピレンジエンゴム（ＥＰＤＭ）等が使用される。
この止水部材は、例えば、水切取付部の一面（載置部延びる側の面）に予め貼付されていると好適である。
このように構成されていると、止水部材を鼻隠し部材の建物本体屋外側の面と水切材の水切取付部との間に簡易に挟持することができる。
また、上記のように構成されていることにより、小屋裏への雨水等の侵入を有効に阻止することが可能となり、止水効果が向上する。
【００１７】
更に、このとき、前記鼻隠し部材の外面から前記建物本体の屋外方向へ突設されると共に前記軒樋の上方に配置され、転落防止部材を上方から着脱可能なように、前記転落防止部材を下方から支持する複数の支持部材を更に備えると好適である。
【００１８】
このように構成されているため、転落防止部材が、軒先ユニットに設けられる転落防止部材に対して着脱可能であるため、例えば、予め転落防止部材が取付けられた軒先ユニットを、建物に取付けることが可能となる。
このようにすれば、建物の周囲に外部足場を設置しなくとも、上記のような軒先ユニットを建物に取付けるだけで、軒先作業の安全性をより確保することができる。
【００１９】
また、上記構成では、鼻隠し部材の外面から建物本体の屋外方向へ突設する支持部材が軒樋の上方に配置される。すなわち、軒先ユニットを下方から見たときに、支持部材は軒樋の後方に配置されるため、支持部材を下方から視認することは困難である。従って、屋根上での作業が完了して転落防止部材を取り外した後、例えば、建物が竣工した後においても、軒先ユニットに存置された支持部材によって、建物の外観上の美観が損なわれることがない。
【００２０】
更に、建物の新築工事が完了した後であっても、軒先ユニットに存置される支持部材に、転落防止部材を取付けることが可能なため、屋根の改修工事等をその後に行う場合においても、軒先作業における作業の安全性を確保することができる。
【００２１】
このように、本発明によれば、建物の周囲に外部足場を設置することが困難な場合、例えば、狭小地であっても、建物の外観上の美感を損ねることなく、建物本体の周囲に転落防止部材を配設することができる。
【００２２】
このとき、前記支持部材は、前記軒樋が前記樋受け部材に支持された状態で、前記軒樋の底面から上方へ所定距離離間した高さ位置に配置されると好適である。
このように構成されていると、上記のように、建物の外観上の美観が損なわれることを防止しつつ、軒樋を流下する雨水等の排水を円滑に行うことができる。
【００２３】
また、このとき、前記軒先ユニットは、前記建物の桁行方向に沿って複数個連続して配置されると好適である。
このように構成されていると、軒先ユニット自体をコンパクトに形成することが可能なため、軒先ユニットの建物本体に対する取付作業、運搬作業、及び工場等での製作作業の容易化を確実に図ることができる。
【発明の効果】
【００２４】
本発明に係る軒先ユニットによれば、簡易に建物の軒先に設置することが可能であり、広小舞を使用することなしに、防水構造を確実に確保することができる軒先ユニットを提供することにある。
本発明に係る軒先ユニットにおいては、通気孔の屋外側は、リブ片により被覆されており、このため、雨水等が屋外に面する側から直接吹き込むことを有効に防止することができるとともに、鼻隠し部材の建物本体屋外側の面とリブ片との間にはスリット状に換気開口部が形成されているため、十分な換気量を実現することができる。
また、通気孔の下方には、軒樋を備える構成としたため、この軒樋により雨水等の吹き上がりを有効に防止することができ、防水性が更に高くなる。
更に、本発明に係る軒先ユニットによれば、軒天部材が不要であるため、軒の出を有しない場合であっても、つまり、設置箇所が狭小空間であっても、簡易に設置することが可能である。
【図面の簡単な説明】
【００２５】
【図１】本発明の一実施形態に係る軒先ユニットの納まりを示す説明図である。
【図２】本発明の一実施形態に係る軒先ユニットを示す説明図である。
【図３】本発明の一実施形態に係る鼻隠し部材を示す説明図である。
【図４】本発明の一実施形態に係る軒先ユニット取付部材を示す斜視図である。
【図５】本発明の一実施形態に係る水切材の斜視図である。
【図６】本発明の一実施形態に係る水切材の取付け状態説明図である。
【図７】本発明の一実施形態に係る水切材の構造説明のための側面図である。
【図８】本発明の改変例に係る水切材の構造説明のための側面図である。
【図９】本発明の改変例に係る水切材の構造説明のための側面図である。
【図１０】本発明の一実施形態に係る軒先の施工手順を示す説明図である。
【図１１】本発明の一実施形態に係る軒先の施工手順を示す説明図である。
【図１２】本発明の一実施形態に係る軒先の施工手順を示す説明図である。
【図１３】本発明の一実施形態に係る腕木部材を示す三面図である。
【発明を実施するための形態】
【００２６】
以下、本発明の一実施形態を図面に基づいて説明する。
なお、以下に説明する構成は本発明を限定するものではなく、本発明の趣旨の範囲内で種々改変することができるものである。
【００２７】
本実施形態は、軒の出を有しない軒先に簡易に設置することが可能であり、広小舞を使用することなしに、防水構造を確実に確保することができる軒先ユニットに関するものである。
【００２８】
図１乃至図１３は、本発明に係る一実施形態を示すものであり、図１は軒先ユニットの納まりを示す説明図、図２は軒先ユニットを示す説明図、図３は鼻隠し部材を示す説明図、図４は軒先ユニット取付部材を示す斜視図、図５は水切材の斜視図、図６は水切材の取付け状態説明図、図７は水切材の構造説明のための側面図、図８及び図９は他の形態の軒先に対応する水切材の構造説明のための側面図、図１０乃至図１２は軒先の施工手順を示す説明図、図１３は腕木部材を示す三面図である。
【００２９】
図１乃至図４により、本実施形態に係る建物本体１の軒先構造及び軒先ユニット２０について説明する。
図１に示すように、本実施形態に係る建物本体１は、外壁パネル２の上方に設けられる軒桁３と、軒桁３上に配置される屋根パネル４と、を備えている。
本実施形態に係る軒桁３は、所謂小屋梁を桁行方向に連結する横架材であり、例えば、断面略コ字形状、断面略Ｈ形状等の鉄製の部材により形成されている。
【００３０】
そして、この軒桁３は、建物本体１の主要構造物の一つを構成するものであり、特許請求の範囲に記載の建物躯体に相当する。
また、軒桁３には、後述する腕木部材１０が取付けられており、本実施形態に係る軒先ユニット２０は、この腕木部材１０に取付けられる。
この腕木部材１０が、特許請求の範囲に記載の建物側取付部材に相当する。
【００３１】
本実施形態に係る屋根パネル４は、垂木４ａと、野地材４ｂと、屋根葺き材４ｃと、を備えている。
これらの部材は、軒桁３上に固定される垂木４ａ上に順次、野地材４ｂ、屋根葺き材４ｃの順に連結される。
この連結は、ビスやボルト等によって実施される。
【００３２】
次に、腕木部材１０に取付けられる軒先ユニット２０について図１乃至図４を参照して説明する。
図１及び図２に示すように、本実施形態に係る軒先ユニット２０は、鼻隠し部材２２と、軒先ユニット取付部材２３と、複数の支持部材２４と、複数の樋受け部材２５と、水切材２７と、を備えて構成されている。
なお、これらは工場等において予め一体的に製作され、軒先ユニット２０として出荷される。
この軒先ユニット２０は建物本体１の桁行方向に沿って２以上に分割されて複数設けられている。
なお、所謂「軒天部材」は、本実施形態においては不要である。
【００３３】
図１乃至図３に示すように、本実施形態に係る鼻隠し部材２２は、建物本体１側の端部を覆う位置に配置され、ＳＵＳや鉄板等の鉄製の部材により形成されている。
この鼻隠し部材２２は分割された構成であり、上部鼻隠し部材２２Ａと下部鼻隠し部材２２Ｂとを組合わせることにより構成されている。
【００３４】
上部鼻隠し部材２２Ａは、略板状に形成された前面部２２ａと、この前面部２２ａの上端部から建物本体１側斜め上方へ曲折して延びる上面部２２ｂと、この上面部２２ｂの建物本体１側の端部から下方へ曲折して延びる上側突設部２２ｃと、この前面部２２ａの下端部から建物本体１側へ曲折して延びる下面部２２ｄと、この下面部２２ｄの建物本体１側の端部から上方へ曲折して延びる下側突設部２２ｅとを有し、これらは一体的に形成されている。
【００３５】
また、下面部２２ｄ下方側面の建物本体１内部側には、略板状に形成された下面部接合部２２ｆが固定されており、この下面部接合部２２ｆの屋外側からは、下方側へ建物側被覆部２２ｇが垂下している。また、建物側被覆部２２ｇの下端側から屋外側へ向けて底面固定部２２ｈが曲折して延びている。
【００３６】
下部鼻隠し部材２２Ｂは、略板状に形成された前面部被覆部２２ｉと、この前面部被覆部２２ｉの下端部から建物本体１内部側斜め上方へ屈曲して延びる下面部接触部２２ｊ、この下面部接触部２２ｊの建物本体１内部側端部から下方へ曲折して延びる前方被覆部２２ｋと、この前方被覆部２２ｋの下端側から建物本体１内部側へ曲折して延びる底面部２２ｌと、この底面部２２ｌの建物本体１側から底面部２２ｌの下方側面に沿って折り返されるとともにその端部が下方向へと曲折した補強部２２ｍとを有し、これらは一体的に形成されている。
【００３７】
上述した通り、本実施形態に係る鼻隠し部材２２は、上部鼻隠し部材２２Ａ及び下部鼻隠し部材２２Ｂを組合わせることによって形成されている。
つまり、図３の矢印で示すように組合わせることにより、鼻隠し部材２２が形成される。
下部鼻隠し部材２２Ｂを構成する前方被覆部２２ｋの上下方向の距離は、上部鼻隠し部材２２Ａを構成する下面部２２ｄの下方側面と底面固定部２２ｈの上方側面との距離よりも若干大きくなるように、もしくは両距離がほぼ同一となるように構成されている。
【００３８】
このため、底面部２２ｌの上方面に底面固定部２２ｈを載置した状態で、前方被覆部２２ｋを、下面部２２ｄの下方側面と底面固定部２２ｈの上方側面との間に圧入すると、下面部接触部２２ｊと前方被覆部２２ｋとの境界部分（屈曲部分）が下面部２２ｄの下方側面に圧接し、前方被覆部２２ｋは、下面部２２ｄの下方側面と底面固定部２２ｈの上方側面との間に突っ張り固定される。
そしてこのとき、前面部被覆部２２ｉは、前面部２２ａの屋外側面下方側を被覆する。
【００３９】
また、鼻隠し部材２２を構成する前面部２２ａには、建物本体１の屋外方向から屋内方向に貫通する複数の通気孔２８が桁行方向に並列して形成されている。
通気孔２８は、主として小屋裏換気を行うために形成されている。
この通気孔２８は、前面部２２ａの上方側であって、後述する水切材２７によって被覆される位置に形成されている。
【００４０】
また、この通気孔２８には、前面部２２ａを切り起こすことにより通気孔２８となる開口部を被覆するように形成されたリブ片２８ａを備えられている。
このリブ片２８ａにより、通気孔２８の前面から雨水が吹き込むことが防止されるとともに、鼻隠し部材２２の強度が向上する。
つまり、通気孔２８と屋外側とは、リブ片２８ａと前面部２２ａとの間に形成されるスリット状の開口部（側方に開口しており、以下、「換気開口部２８ｂ」と記す）により連通するため、通気孔２８の前面から雨水が吹き込むことが防止され、十分な換気もまた行うことができる。
このように構成されていることにより、小屋裏換気のための十分な数の通気孔２８を形成することが可能となり、換気に必要とされる通気量を十分に確保することができる。
【００４１】
従来の技術では、軒天部分、軒天見切部分等に通気孔を設けていたが、本実施形態では、鼻隠し部材２２を構成する前面部２２ａに通気孔２８を設ける構成としたため、下方から通気孔２８の視認が不可能になり、意匠面において有利である。
【００４２】
また、軒天見切部分に通気孔を設ける場合には、雨水の浸入を防止するため、別途雨水浸入阻止部材を設置する必要があり、これに伴って軒裏見切り材の形状が複雑になるため経費が高騰するが、本実施形態においては、鼻隠し部材２２に通気孔２８を形成する構成としたため、複雑な構成が不要となり、経費が軽減される。
更に、軒先ユニット２０を構成する鼻隠し部材２２に通気孔２８を形成した構成であるため、軒先の全周囲にわたって換気を確保することが可能となり、十分な換気量を確保することができる。
【００４３】
なお、本実施形態においては、下側突設部２２ｅ上部には、防火ダンパーＤ１が配設されている。この防火ダンパーＤ１は、通気孔２８と対応する位置に配設される。
しかし、この防火ダンパーＤ１は、必須の構成ではなく、配置を省略することもできる。
更に、本実施形態においては、通気孔２８を建物本体１側から被覆するように配設された換気孔経路カバーＤ２が、前面部２２ａの建物本体１側面に沿って配設されている。
また、本実施形態においては、上側突設部２２ｃ自由端側と下側突設部２２ｅ自由端側とを架橋するように、ロックウール保温板固定バンドＤ３が配設されている。
【００４４】
本実施形態に係る軒先ユニット取付部材２３は、軒先ユニット２０を建物本体１に対して取付けるための部材であり、建物本体１を構成する軒桁３から延びる腕木部材１０に固定されている。
図４に示すように、軒先ユニット取付部材２３は、鼻隠し部材２２を構成する前面部２２ａの建物本体１側面に取付けられる略平板状の支持部２３ａと、この支持部２３ａの端辺から略垂直に建物本体１側に屈曲する固定部取付部２３ｂと、固定部取付部２３ｂの裏面（支持部２３ａが配設されている側と反対側の面）の下方側にその上方部分が溶接されている連結部２３ｃと、この連結部２３ｃの下端側から支持部２３ａが配設されている側と反対側に略垂直に屈曲して延出する固定部２３ｄとを有して構成されている。
【００４５】
支持部２３ａの上下方向には、支持部ボルト孔１２３ａが２個並列して形成されている。
また、固定部取付部２３ｂの上部略中央には、固定部取付部ボルト孔１２３ｂが形成されており、固定部２３ｄの略中央部には、固定部ボルト孔１２３ｄが形成されている。
【００４６】
図１及び図２に示すように、本実施形態に係る支持部材２４は、鼻隠し部材２２の建物本体１屋外方向側に取付けられる略板形状のプレート支持部２４ａと、このプレート支持部２４ａから建物本体１の屋外方向へ突出して設けられる転落防止部材取付用の取付部２４ｂと、を備えて構成されている。
【００４７】
なお、図示は省略するが、転落防止材部材は、例えば、水平部と、この水平部の両端部から下方へ曲折して延びる一対の鉛直部とを少なくとも備える略コ字形状の部材として構成される。
転落防止部材は、水平部が地表面と平行に鉛直部により下方から支持されるように配置される。
この転落防止部材は、鉄等の金属製のパイプ状部材により形成されており、その重量の軽量化が図られている。
支持部材２４は、転落防止部材の一対の鉛直部の下端部が挿入可能なように、鼻隠し部材２２の両端部にそれぞれ配置されている。
【００４８】
本実施形態に係るプレート支持部２４ａは、その所定位置に複数のボルト挿通孔（図示省略）が形成され、鼻隠し部材２２の桁行方向の両端部のそれぞれに取付けられている。
支持部材２４は、鼻隠し部材２２の前面部２２ａを、軒先ユニット取付部材２３の支持部２３ａと支持部材２４のプレート支持部２４ａとの間で挟み込んだ状態で、それぞれに設けられたボルト孔にボルト（図示せず）を挿通してナット（図示せず）を締め込むことにより、鼻隠し部材２２に締結固定されている。
【００４９】
取付部２４ｂは、本実施形態においては、転落防止部材の下端部を上方から挿入可能な略円筒形状を有し、転落防止部材を上方から着脱可能に支持する。
この形状は、これに限られるものではなく、転落防止部材を構成する鉛直部の形状に整合するように構成されるとよい。例えば、転落防止部材が角柱パイプ等で構成されている場合には、中空角柱状に構成される。
【００５０】
一対の鉛直部の下端部間の内幅は、軒先ユニット２０の両端部に取付けられる取付部２４ｂの間隔と略等しく設定されている。
そして、この鉛直部の先端部分は、軒先ユニット２０の取付部２４ｂに上方から挿入可能な形状に形成されている。
【００５１】
本実施形態に係る樋受け部材２５は、鼻隠し部材２２の前面部２２ａの建物本体１の屋外方向側の外面に、建物本体１の桁行方向に沿って所定間隔をあけて複数取付けられており、建物本体１の桁行方向に沿って配置される軒樋４２（次いで説明する）を上方から支持するように構成されている。
【００５２】
樋受け部材２５は、鼻隠し部材２２に対してビス等により固定されるプレート部２５ａと、プレート部２５ａから建物本体１の屋外方向に突設される突設部２５ｂと、突設部２５ｂの建物本体１の屋外方向側の先端部２５ｃと、突設部２５ｂの下端部に設けられる弾性係止部２５ｄと、を備えている。
【００５３】
次いで、前述の軒樋４２について説明する。
本実施形態に係る軒樋４２は、樋受け部材２５に取付けられる長尺の樋であり、雨水等の排水を促進するための部材である。
この軒樋４２は、雨水等の排水を促進するため、長手方向の一端側から他端側へ向けて傾斜して配置される。
【００５４】
本実施形態においては、軒樋４２は断面略Ｕ字状に形成されており、雨水等の排水が可能な軒樋底面部４２ａと、軒樋底面部４２ａの建物本体１の屋外方向側の端部に設けられる鉤形状のフック部４２ｂと、底面部４２ａの建物本体１側端部から軒樋４２の開口方向へ突出する突部４２ｃと、を備えている。
なお、軒樋４２の傾斜方向の下端部には、縦樋（図示省略）と連結可能な排水口（図示省略）が設けられている。
【００５５】
次に、軒樋４２の樋受け部材２５に対する取付けについて説明する。
軒樋４２の樋受け部材２５に対する取付けは、先ず、軒樋４２のフック部４２ｂを樋受け部材２５の先端部２５ｃに嵌合させる。
次に、この状態で、軒樋４２の建物本体１側を上方へ移動させる。軒樋４２を上方へ移動させると、弾性係止部２５ｄが軒樋４２の突部４２ｃの進入により建物本体１の屋外方向へ弾性変形する。さらに、軒樋４２を上方へ移動させると、弾性係止部２５ｄが軒樋４２の突部４２ｃに嵌合して、その状態が保持される。
【００５６】
このように、軒樋４２は、樋受け部材２５の先端部２５ｃと軒樋４２のフック部４２ｂ、及び樋受け部材２５の弾性係止部２５ｄと軒樋４２の突部４２ｃをそれぞれ嵌合させることにより、樋受け部材２５に対して取付けられる。軒樋４２が樋受け部材２５に対して取付けられた状態では、支持部材２４は、軒樋４２によって下方から覆われる位置で，且つ軒樋４２の軒樋底面部４２ａから上方へ所定距離離間した、軒樋４２の排水機能を阻害しない高さ位置に配置される。
【００５７】
次いで、図５乃至図７により、水切材２７について説明する。
本実施形態においては、２．５寸屋根勾配の屋根軒先に使用される水切材２７について説明する。
本実施形態に係る水切材２７は、鼻隠し部材２２を構成する前面部２２ａに形成された通気孔２８の上方側に配設されて、通気孔２８を被覆する。
【００５８】
図５及び図６に示すように、本実施形態に係る水切材２７は、側面被覆部２７ａ、上面被覆部２７ｂ、水切取付部２７ｃ、載置部２７ｄ、下部折返し部２７ｅ、上部折返し部２７ｆにより、断面略階段状に形成された部材である。
側面被覆部２７ａは、略矩形状平板であり、その上端部からは、この側面被覆部２７ａと鈍角を成して建物本体１側上方に向けて略矩形平板の上面被覆部２７ｂが延出している。
更に、上面被覆部２７ｂの建物本体１側端部からは、略矩形平板の水切取付部２７ｃが上方へ向かい起立している。
【００５９】
また、水切取付部２７ｃの上方側端部からは、この水切取付部２７ｃと鈍角を成して建物本体１側上方に向けて略矩形平板の載置部２７ｄが延出している。
更に、側面被覆部２７ａの下方側端部には、この側面被覆部２７ａと鋭角を成して、上面被覆部２７ｂが配設される側上方へ向けて折れ上がる略矩形平板の下部折返し部２７ｅが形成されているとともに、載置部２７ｄの上方側端部には、この載置部２７ｄと鋭角を成して上方へ向けて折れ上がる略矩形平板の上部折返し部２７ｆが形成されている。
なお、本実施形態においては、図７に示すように、下記のように角度が設定されている。
（ｘ１，ｙ１，ｚ１）＝（１２４．５°，１０４．０°，１０４．０°）
ただし、この角度は一例であり、具体的な施工現場に応じて適宜変更することは可能である。
【００６０】
なお、図６に示すように、水切取付部２７ｃには、ネジ孔が形成されており、ネジにより鼻隠し部材２２を構成する前面部２２ａを貫通して取付けられるよう構成されている。
また、水切取付部２７ｃの（建物本体１屋内側（載置部２７ｄが延びる側）の面には、止水部材Ｗが貼付されている。
このため、水切取付部２７ｃと、鼻隠し部材２２を構成する前面部２２ａとの取合い部分は、止水部材Ｗ（例えば、ＥＰＤＭ：エチレンプロピレンジエンゴム等）で止水処理が施される。
【００６１】
また、このとき、水切材２７は、鼻隠し部材２２を構成する前面部２２ａに形成された通気孔２８の上方側に配設されて、その側面被覆部２７ａで前面からの通気孔２８への雨水等の浸入を、上面被覆部２７ｂで上方からの通気孔２８への雨水等の浸入を防止する。
なお、通気のための通路は確保されているため、通気孔２８による換気を阻害することはない。
そして、水切材２７を構成する載置部２７ｄの屋内側端部は、野地材４ｂの屋外側端部上に載置される。
このように、水切材２７を上記形状としたため、広小舞を必要としない。
【００６２】
次いで、他の屋根形状の場合に使用される水切材２７の例について説明する。
図８に、１２．５寸屋根勾配の屋根軒先に使用される水切材２７について説明する。
この場合には、屋根勾配の傾斜がきついため、上記実施形態に係る水切材２７とは異なる形状となる。
ただし、機能に関わる基本形状は上記実施形態と同様であり、各部分のサイズ及び部分間の成す角度が異なるのみである。
具体的には、下記のように角度が設定されている。
（ｘ２，ｙ２，ｚ２）＝（１１６．９°，９０．０°，１４１．４°）
ただし、この角度は一例であり、具体的な施工現場に応じて適宜変更することは可能である。
【００６３】
次いで、他の屋根形状の場合に使用される水切材２７の例について説明する。
図９に、６寸屋根勾配の屋根軒先に使用される水切材２７について説明する。
この場合には、屋根勾配の傾斜がきついため、上記実施形態に係る水切材２７とは異なる形状となる。
ただし、機能に関わる基本形状は上記実施形態と同様であり、各部分のサイズ及び部分間の成す角度が異なるのみである。
具体的には、下記のように角度が設定されている。
（ｘ３，ｙ３，ｚ３）＝（１３５．４°，１２１．７°，１２１．６°）
ただし、この角度は一例であり、具体的な施工現場に応じて適宜変更することは可能である。
【００６４】
次に、図１０乃至図１２により、本実施形態に係る軒先ユニット２０を使用した軒先の施工方法について説明する。
まず、図１０（ａ）に示すように、軒桁３に腕木部材１０を取付ける。
腕木部材１０について図１３により簡単に説明する。
腕木部材１０は、桁取付け部１０Ａとフレーム部１０Ｂとを有して構成されている。
桁取付け部１０Ａは、略矩形平板状に形成されており、並列して２個のタップＴが突設されている。
【００６５】
また、フレーム部１０Ｂは、断面略コ字形状に形成され、フレーム底面部１０ａと、フレーム底面部１０ａの桁行方向両端部から下方へ屈曲して延びる一対のフレーム側面部１０ｂとを備えている。
フレーム部１０Ｂを構成するフレーム底面部１０ａには、ボルト貫通孔１００ａが並列して形成されており、このボルト貫通孔１００ａの下方側（フレーム側面部１０Ｂが延びる方向側）には、このボルト貫通孔１００ａと連通するようにナットＮ２が溶接されている。
【００６６】
図１０（ａ）に示すように、腕木部材１０は、タップＴを軒桁３に形成されたボルト貫通孔（図示しない）に貫通させて、ナットＮ３で締結することにより、軒桁３に取付けられる。
このとき、腕木部材１０を構成するフレーム部１０Ｂのフレーム底面部１０ａが上方に配設されるように腕木部材１０の方向を整合させる。
【００６７】
次いで、図１０（ｂ）及び図１０（ｃ）に示すように、軒先ユニット２０を腕木部材１０に取付ける。
まず、図１０（ｂ）に示すように、軒先ユニット取付部材２３を構成する固定部２３ｄの略中央部に形成された固定部ボルト孔１２３ｄと、フレーム部１０Ｂのフレーム底面部１０ａに形成されたボルト貫通孔１００ａとが連通するように位置を調整し、上方からボルトＢ１を締結して軒先ユニット２０を腕木部材１０に取付ける。
図１０（ｃ）に、軒先ユニット２０が腕木部材１０に取付けられた状態を示す。
【００６８】
次いで、図１１（ｄ）に示すように、軒樋４２を樋受け部材２５に取付ける。
樋受け部材２５に対する軒樋４２の取付けは、樋受け部材２５の先端部２５ｃと軒樋４２のフック部４２ｂ、及び樋受け部材２５の弾性係止部２５ｄと軒樋４２の突部４２ｃをそれぞれ嵌合させることにより行われる。
【００６９】
次いで、図１１（ｅ）及び図１１（ｆ）に示すように、屋根パネル４を軒桁３に対して取付ける。
図１１（ｆ）に示すように、屋根パネル４の設置が終了した後、図１２（ｇ）に示すように、水切材２７を取付ける。
水切材２７は、水切取付部２７ｃに形成されたネジ孔（図示しない）と、これと連通する鼻隠し部材２２を構成する前面部２２ａに形成されたネジ孔（図示しない）とにネジＳを貫通させて取付けられる。
【００７０】
また、このとき、載置部２７ｄの屋内側端部は、野地材４ｂの屋外側端部上に載置される。
水切材２７が取付けられ、ルーフィングを設置した様子を図１２（ｈ）に示す。
このように、水切材２７が取付けられた後、図１２（ｉ）に示すように、屋根葺き材４ｃを設置して完了する。
【００７１】
（他の実施形態）
他の実施形態として、外部足場がある場合を説明する。
この場合の軒先ユニット２０には、支持部材２４が存在しないが、その他の構成は上記実施形態の軒先ユニット２０と同様である。
【００７２】
この場合の軒先ユニット２０を使用した軒先の施工方法について説明する。
軒先ユニット２０を腕木部材１０に取付けるまでの手順は、上記実施形態と同様である。
つまり、図１０（ａ）から図１０（ｃ）までの手順は同様である。
【００７３】
次いで、本実施形態においては、屋根パネル４を設置する。
つまり、図１０（ｃ）の工程の後、図１１（ｅ）から図１１（ｆ）の工程へと進む。
次いで、水切材２７を取付ける。
つまり、図１２（ｇ）及び図１２（ｈ）の工程へと進む。
そして、最後に、屋根葺き材４ｃを設置するとともに、軒樋４２を樋受け部材２５に取付ける。
つまり、工程の最後に、図１２（ｉ）の工程及び図１１（ｄ）の工程を行うが、この順序は特に特定されるものではなく、同時に行ってもよい。
【００７４】
以上のように、本実施形態に係る軒先ユニット２０は、建物本体１の軒先に簡易に取付けられる。
また、特に、本実施形態に係る軒先ユニット２０は、軒の出を有しない場合であっても簡易に設置することが可能であり、狭小な設置空間に腕木部材１０や防火ダンパーＤ１を設置することを可能とした。
更に、水切材２７を上記形状としたため、広小舞を必要としない。
また、転落防止部材を支持するための支持部材２４を備えるバージョンと備えないバージョンとに展開することができ、施工性の自由度が向上する。
【符号の説明】
【００７５】
１  建物本体
２  外壁パネル
３  軒桁（建物躯体）
４  屋根パネル
４ａ  垂木
４ｂ  野地材
４ｃ  屋根葺き材
６  軒先
１０  腕木部材（建物側取付部材）
１０Ａ  桁取付け部
１０Ｂ  フレーム部
１０ａ  フレーム底面部
１０ｂ  フレーム側面部
１００ａ  ボルト貫通孔
２０  軒先ユニット
２２  鼻隠し部材
２２Ａ  上部鼻隠し部材
２２Ｂ  下部鼻隠し部材
２２ａ  前面部
２２ｂ  上面部
２２ｃ  上側突設部
２２ｄ  下面部
２２ｅ  下側突設部
２２ｆ  下面部接合部
２２ｇ  建物側被覆部
２２ｈ  底面固定部
２２ｉ  前面部被覆部
２２ｊ  下面部接触部
２２ｋ  前方被覆部
２２ｌ  底面部
２２ｍ  補強部
２３  軒先ユニット取付部材
２３ａ  支持部
２３ｂ  固定部取付部
２３ｃ  連結部
２３ｄ  固定部
１２３ａ  支持部ボルト孔
１２３ｂ  固定部取付部ボルト孔
１２３ｄ  固定部ボルト孔
２４  支持部材
２４ａ  プレート支持部
２４ｂ  取付部
２５  樋受け部材
２５ａ  プレート部
２５ｂ  突設部
２５ｃ  先端部
２５ｄ  弾性係止部
２７  水切材
２７ａ  側面被覆部
２７ｂ  上面被覆部
２７ｃ  水切取付部
２７ｄ  載置部
２７ｅ  下部折返し部
２７ｆ  上部折返し部
２８  通気孔
２８ａ  リブ片
２８ｂ  換気開口部
４２  軒樋
４２ａ  軒樋底面部
４２ｂ  フック部
４２ｃ  突部
Ｂ１  ボルト
Ｄ１  防火ダンパー
Ｄ２  換気孔経路カバー
Ｄ３  ロックウール保温板固定バンド
Ｎ１，Ｎ２，Ｎ３  ナット
Ｓ  ネジ
Ｔ  タップ
Ｗ  止水部材
【図１】
0005745362.tif 000002
【図２】
0005745362.tif 000003
【図３】
0005745362.tif 000004
【図４】
0005745362.tif 000005
【図５】
0005745362.tif 000006
【図６】
0005745362.tif 000007
【図７】
0005745362.tif 000008
【図８】
0005745362.tif 000009
【図９】
0005745362.tif 000010
【図１０】
0005745362.tif 000011
【図１１】
0005745362.tif 000012
【図１２】
0005745362.tif 000013
【図１３】
0005745362.tif 000014